(57)【要約】【課題】工事が容易で、工事費の低廉化および工事時間の短縮を図ることができるメンテナンス対応建築物、配管配線類支持用滑車、配管配線類施工方法および配管配線類交換方法を提供する。【解決手段】建築物の構造内部空間内に可撓性の配管配線類１の抜き取りを案内する配管配線類支持用滑車１１が設けられ、配管配線類支持用滑車１１に配管配線類１が掛けられ支持されているメンテナンス対応建築物１０で配管配線類１を交換する。配管配線類支持用滑車１１に掛けられた配管配線類１の一端に交換用の可撓性の配管配線類１の一端を取り付ける工程と、配管配線類支持用滑車１１に掛けられた配管配線類１を他端から引き抜くとともに交換用の配管配線類１を配管配線類支持用滑車１１に掛けて支持する工程とを有する。【選択図】図１
2005221012.tif 000002
【特許請求の範囲】
【請求項１】
構造内部空間内に可撓性の配管配線類を配して成るメンテナンス対応建築物であって、
前記構造内部空間内に前記配管配線類の抜き取りを案内する滑車が設けられていることを特徴とするメンテナンス対応建築物。
【請求項２】
前記滑車は枠体と複数のローラーとを有し、各ローラーは前記配管配線類を挿入可能な開口を包囲するよう形成して前記枠体の内側に回転可能に設けられていることを特徴とする請求項１記載のメンテナンス対応建築物。
【請求項３】
前記滑車は取付部および自在継手を有し、前記取付部は前記自在継手を介して前記枠体を前記構造内部空間内の固定箇所に取付け可能であることを特徴とする請求項１または２記載のメンテナンス対応建築物。
【請求項４】
枠体と複数のローラーと取付部とを有し、各ローラーは前記配管配線類を挿入可能な開口を包囲するよう形成して前記枠体の内側に回転可能に設けられ、前記取付部は前記枠体を固定箇所に取付け可能であることを特徴とする配管配線類支持用滑車。
【請求項５】
枠体と１対の長手ローラーと複数の仕切ローラーと取付部とを有し、前記枠体は断面が長方形状であり、各長手ローラーは前記枠体の長手方向に沿って互いに間隔をあけて前記枠体の内側に回転可能に設けられ、各仕切ローラーは前記枠体の幅方向に沿ってそれぞれ間隔をあけて前記枠体の内側に回転可能に設けられ、各長手ローラーおよび各仕切ローラーは前記配管配線類を挿入可能な開口を複数包囲して形成し、前記取付部は前記枠体を固定箇所に取付け可能であることを特徴とする配管配線類支持用滑車。
【請求項６】
建築物の構造内部空間内に可撓性の配管配線類を配する配管配線類施工方法であって、
前記構造内部空間内に前記配管配線類の抜き取りを案内する滑車を設ける工程と、
前記滑車に前記配管配線類を掛けて前記配管配線類を支持する工程とを、
有することを特徴とする配管配線類施工方法。
【請求項７】
建築物の構造内部空間内に可撓性の配管配線類の抜き取りを案内する滑車が設けられ、前記滑車に前記配管配線類が掛けられ支持されているメンテナンス対応建築物で前記配管配線類を交換する方法であって、
前記滑車に掛けられた前記配管配線類の一端に交換用の可撓性の配管配線類の一端を取り付ける工程と、
前記滑車に掛けられた前記配管配線類を他端から引き抜くとともに前記交換用の配管配線類を前記滑車に掛けて支持する工程とを、
有することを特徴とする配管配線類交換方法。
【発明の詳細な説明】
【技術分野】
【０００１】
本発明は、構造内部空間内に可撓性の配管配線類を配して成るメンテナンス対応建築物、その中で用いられる配管配線類支持用滑車、配管配線類施工方法および配管配線類交換方法に関する。
【背景技術】
【０００２】
住宅の設備は常時使用されることが多いため、その耐用年数は住宅そのものよりも通常、短い。よって修理や交換が必要になる。住宅の構造内で横方向や縦方向に施工される配管パイプやダクトもまた、修理や交換が必要である。
従来のダクトの交換方法として、仮設バイパスダクトを併設し、既設ダクト内の流路を仮設バイパスダクトに切り替え、流路を確保している間に、更新範囲の区間のダクト交換を行うものがある（例えば、特許文献１参照）。
【０００３】
【特許文献１】特開２０００−３４６４３５号公報
【発明の開示】
【発明が解決しようとする課題】
【０００４】
しかしながら、配管パイプやダクトは、構造内の長い距離に亘り施工されており、更に途中で構造内で他の部材に固定されていることが多いため、内装を破壊しないままで、引き抜いたり、更に再施工を行ったりする事ができない。結果として、従来の住宅のメンテナンスにおいては、ダクトやパイプの修理交換の為に、広い範囲の内装を破壊し、構造を剥き出しにした状態とする必要があった。このため、工事が大掛かりで工事費が嵩み、また、修理、交換に長時間を要するという課題があった。
【０００５】
本発明は、このような従来の課題に着目してなされたもので、工事が容易で、工事費の低廉化および工事時間の短縮を図ることができるメンテナンス対応建築物、配管配線類支持用滑車、配管配線類施工方法および配管配線類交換方法を提供することを目的としている。
【課題を解決するための手段】
【０００６】
上記目的を達成するために、本発明に係るメンテナンス対応建築物は、構造内部空間内に可撓性の配管配線類を配して成るメンテナンス対応建築物であって、前記構造内部空間内に前記配管配線類の抜き取りを案内する滑車が設けられていることを特徴とする。
【０００７】
本発明に係る配管配線類施工方法は、建築物の構造内部空間内に可撓性の配管配線類を配する配管配線類施工方法であって、前記構造内部空間内に前記配管配線類の抜き取りを案内する滑車を設ける工程と、前記滑車に前記配管配線類を掛けて前記配管配線類を支持する工程とを、有することを特徴とする。
【０００８】
本発明に係る配管配線類交換方法は、建築物の構造内部空間内に可撓性の配管配線類の抜き取りを案内する滑車が設けられ、前記滑車に前記配管配線類が掛けられ支持されているメンテナンス対応建築物で前記配管配線類を交換する方法であって、前記滑車に掛けられた前記配管配線類の一端に交換用の可撓性の配管配線類の一端を取り付ける工程と、前記滑車に掛けられた前記配管配線類を他端から引き抜くとともに前記交換用の配管配線類を前記滑車に掛けて支持する工程とを、有することを特徴とする。
【０００９】
本発明では、構造内部空間内に設けられた滑車に配管配線類を掛けて支持しておき、その配管配線類を端部から引き抜くことができるので、配管配線類の修理、交換のために内装を破壊する必要がなく、メンテナンス工事が容易で、工事費の低廉化および工事時間の短縮を図ることができる。この際、配管配線類の一端に交換用の配管配線類の一端を取り付けることにより、配管配線類を他端から引き抜くとともに交換用の配管配線類を滑車に掛けて支持することができる。これにより、さらにメンテナンス工事を容易にし、工事費のさらなる低廉化および工事時間のさらなる短縮を図ることができる。
【００１０】
本発明において、「配管配線類」とは、空調に用いられるダクト、給水、排水用のパイプ、電気配線、通信配線、アンテナ配線、ならびにその他の配管、その他の配線をいう。
【００１１】
本発明において、前記滑車は枠体と複数のローラーとを有し、各ローラーは前記配管配線類を挿入可能な開口を包囲するよう形成して前記枠体の内側に回転可能に設けられていることが好ましい。なお、前記滑車は枠体と複数のローラーとを有し、各ローラーは前記枠体を軸として回転可能に前記枠体に設けられ、各ローラーで包囲される開口に前記配管配線類を挿入可能であってもよい。
また、本発明において、前記滑車は取付部および自在継手を有し、前記取付部は前記自在継手を介して前記枠体を前記構造内部空間内の固定箇所に取付け可能であることが好ましい。
【００１２】
本発明に係る配管配線類支持用滑車は、枠体と複数のローラーと取付部とを有し、各ローラーは前記配管配線類を挿入可能な開口を包囲するよう形成して前記枠体の内側に回転可能に設けられ、前記取付部は前記枠体を固定箇所に取付け可能であることを特徴とする。なお、配管配線類支持用滑車は、枠体と複数のローラーと取付部とを有し、各ローラーは前記枠体を軸として回転可能に前記枠体に設けられ、各ローラーで包囲される開口に前記配管配線類を挿入可能であり、前記取付部は前記枠体を固定箇所に取付け可能であってもよい。
【００１３】
本発明に係る配管配線類支持用滑車は、前述の本発明に係るメンテナンス対応建築物、配管配線類施工方法または配管配線類交換方法において、前記滑車として用いることができる。この場合、本発明に係る配管配線類支持用滑車は、配管配線類を端部から引き抜くとき、ローラーが配管配線類を支持しながら回転し、その抜き取りを案内する。これにより、メンテナンス工事が容易になり、工事費の低廉化および工事時間の短縮を図ることができる。
【００１４】
本発明に係る配管配線類支持用滑車は、対称形状を有し、枠体の側面の対称な２つの位置に互いに対応する連結部を有していてもよい。この場合、本発明に係る配管配線類支持用滑車を２以上用いて、各配管配線類支持用滑車の対応する連結部を互いに連結し、全体をはしご状に構成して用いることができる。
【００１５】
本発明に係る他の配管配線類支持用滑車は、枠体と１対の長手ローラーと複数の仕切ローラーと取付部とを有し、前記枠体は断面が長方形状であり、各長手ローラーは前記枠体の長手方向に沿って互いに間隔をあけて前記枠体の内側に回転可能に設けられ、各仕切ローラーは前記枠体の幅方向に沿ってそれぞれ間隔をあけて前記枠体の内側に回転可能に設けられ、各長手ローラーおよび各仕切ローラーは前記配管配線類を挿入可能な開口を複数包囲して形成し、前記取付部は前記枠体を固定箇所に取付け可能であることを特徴とする。なお、配管配線類支持用滑車は、枠体と複数のローラーと取付部とを有し、前記枠体は長方形状の外枠と前記外枠に幅方向に架け渡された桟とを有してはしご状に形成され、各ローラーは前記外枠および前記桟を軸として回転可能に前記枠体に設けられ、各ローラーで包囲される複数の開口に前記配管配線類を挿入可能であり、前記取付部は前記枠体を固定箇所に取付け可能であってもよい。
【００１６】
本発明に係る他の配管配線類支持用滑車は、前述の本発明に係るメンテナンス対応建築物、配管配線類施工方法または配管配線類交換方法において、前記滑車として用いることができる。この場合、本発明に係る他の配管配線類支持用滑車は、配管配線類を端部から引き抜くとき、ローラーが配管配線類を支持しながら回転し、その抜き取りを案内する。これにより、メンテナンス工事が容易になり、工事費の低廉化および工事時間の短縮を図ることができる。本発明に係る他の配管配線類支持用滑車は、複数の開口に配管配線類をジグザグ状に挿入したりさまざまな方向から挿入したりすることができ、配管配線類の支持や抜取りにさらに適した利用が可能となる。
【発明の効果】
【００１７】
本発明によれば、工事が容易で、工事費の低廉化および工事時間の短縮を図ることができるメンテナンス対応建築物、配管配線類支持用滑車、配管配線類施工方法および配管配線類交換方法を提供する。
【発明を実施するための最良の形態】
【００１８】
以下、図面に基づき本発明の実施の形態について説明する。
図１乃至図６は、本発明の実施の形態のメンテナンス対応建築物を示している。
図１および図２に示すように、メンテナンス対応建築物１０は、一般の木造２階建て住宅から成っている。メンテナンス対応建築物１０は、構造内部空間内に、住宅の空調用のダクト、給水、排水用のパイプ、電気配線、通信配線、アンテナ配線、その他住宅設備用の可撓性の配管配線類１を配してある。構造内部空間内には、配管配線類支持用滑車１１が設けられている。配管配線類支持用滑車１１は、配管配線類１の抜き取りを案内する滑車である。
【００１９】
図３に示すように、配管配線類支持用滑車１１は、枠体１２と複数のローラー１３とを有する。枠体１２は、断面が正方形であって４つの側面を有している。枠体１２は、断面Ｌ字状の４枚の板材を組み合わせ、対向する板材を貫通する２本の軸材１４で結合して構成されている。各側面は、長方形の一方の長辺の中央部に凹部１５を設けた形状を有している。各側面は、凹部１５の向きが隣り合う側面と反対で、対向する側面と一致している。図４に示すように、板材の１枚は、取付部１６を一体的に有している。取付部１６は、平板状で、側面の長辺を挟んで側面に対し１３５度の角度で傾斜して伸びている。取付部１６は、枠体１２を梁２や柱などの固定箇所にビスで取付け可能である。
【００２０】
図３に示すように、各軸材１４は、枠体１２の内側に各側面に沿って設けられ、対向する軸材１４との間に凹部１５を挟む位置で各側面に両端が固定されている。これにより、対向する１対の軸材１４は、隣り合う１対の軸材１４と段違いに取り付けられている。
【００２１】
各ローラー１３は、各軸材１４により貫通されている。各ローラー１３は、１本の軸材１４に複数個設けられ、軸材１４の両端に設けられた筒状のスペーサ１７により挟まれて軸材１４の中央部に配置されている。これにより、各ローラー１３は、枠体１２の内側に各側面に沿って回転可能に設けられている。対向する１対のローラー１３は、隣り合う１対のローラー１３と段違いに取り付けられている。各ローラー１３は、配管配線類１を挿入可能な開口１８を包囲するよう形成している。
【００２２】
配管配線類支持用滑車１１は、柱や梁２、桁等の構造材やタルキ、根太等の部材の他、合板等の平面部材に至るあらゆる住宅の構成部材に取り付けが可能である。配管配線類支持用滑車１１は、複数組み合わせることにより、構造材等を迂回する複雑な配管経路を固定することなく実現し、同時に自動交換メンテナンスを可能にする。
【００２３】
図１および図２に示すように、メンテナンス対応建築物１０で、構造内部空間内に配管配線類１を配するとき、まず、構造内部空間内に配管配線類支持用滑車１１を設ける。この場合、図４に示すように、取付部１６を梁２の側面にビスで固定する。取付部１６は、枠体１２の側面に対し４５度の角度で傾斜しているため、配管配線類１の曲がり角を無理なく支持することができる。配管配線類支持用滑車１１の開口１８に配管配線類１を通して掛け、配管配線類１を支持する。
【００２４】
図２に示すように、メンテナンス対応建築物１０は、内部に電化製品ユニット室３が設けられている。電化製品ユニット室３は、電化製品ユニットが配置された側と放熱側とが断熱材で隔てられている。放熱側ダクトから成る配管配線類１は、一端が電化製品ユニット室３の放熱側で開放している。電化製品ユニット室３の内部には給湯・暖房用のヒートポンプ４が設けられており、配管配線類１からの排気がヒートポンプ４により利用されるようになっている。
電化製品ユニット室３に、住宅内で通常使用される電化製品の制御部、或いは機械設備等を取り込むことにより、居住空間に余裕を持たせることができる。また、電化製品ユニット室３に電化製品ユニットを集中して収容することにより、電源設備の集中化、コントロール基盤等の共通化、発生する熱エネルギーの有効利用、メンテナンスの容易化、スペースの有効利用を図ることができる。
【００２５】
耐用年数の経過などで配管配線類１を交換する場合には、まず、図１（Ａ）に示すように、配管配線類支持用滑車１１に掛けられた配管配線類１ａの一端に交換用の可撓性の配管配線類１ｂの一端を取り付ける。このとき、一端が外れないようしっかりと繋ぐようにする。次に、図１（Ｂ）に示すように、配管配線類支持用滑車１１に掛けられた配管配線類１ａの他端をファン装置などの設備から取り外し、他端から引き抜く。配管配線類１ａの他端を引き抜くとともに交換用の配管配線類１ｂは引っ張られる。それにより、交換用の配管配線類１ｂを配管配線類支持用滑車１１に掛けて支持する。図１（Ｃ）に示すように、交換用の配管配線類１の一端をファン装置などに取り付け、他端を換気口などに取り付ける。
【００２６】
次に、メンテナンス対応建築物１０の作用について説明する。
図１に示すように、メンテナンス対応建築物１０では、構造内部空間内に設けられた配管配線類支持用滑車１１に配管配線類１を掛けて支持しておき、その配管配線類１を端部から引き抜くことができるので、配管配線類１の修理、交換のために内装を破壊する必要がなく、メンテナンス工事が容易で、工事費の低廉化および工事時間の短縮を図ることができる。この際、配管配線類１ａの一端に交換用の配管配線類１ｂの一端を取り付けることにより、配管配線類１ａを他端から引き抜くとともに交換用の配管配線類１ｂを配管配線類支持用滑車１１に掛けて支持することができる。これにより、さらにメンテナンス工事を容易にし、工事費のさらなる低廉化および工事時間のさらなる短縮を図ることができる。
【００２７】
配管配線類支持用滑車１１は、配管配線類１を端部から引き抜くとき、ローラー１３が配管配線類１を支持しながら回転し、その抜き取りを案内する。これにより、メンテナンス工事が容易になり、工事費の低廉化および工事時間の短縮を図ることができる。配管配線類１は、開口１８を貫通しているので、開口１８の外に外れるおそれがない。
【００２８】
なお、配管配線類支持用滑車１１は、図５に示すように、取付部２０および自在継手２１を有するものであってもよい。この配管配線類支持用滑車１１で、取付部２０は自在継手２１を介して枠体１２を構造内部空間内の固定箇所に取付け可能となっている。配管配線類支持用滑車１１は、居室の６面、或いは５面に面する壁内の空間に設けられて、開口１８の向く角度を自由に変えたり枠体１２を回転させたりすることができる。このため、配管配線類支持用滑車１１は、配管配線類１の曲がり角に負担をかけずに配管配線類１を支持することができ、配管配線類１を引き抜いたり掛けたりする際にも配管配線類１に無理な力がかかるのを防ぐことができる。この取付部２０により、配管配線類支持用滑車１１を自在に回転させた上で、必要な角度で固定することができる。
【００２９】
また、配管配線類支持用滑車１１は、図６に示すように、枠体２２と１対の長手ローラー２３と複数の仕切ローラー２４とから成っていてもよい。枠体２２は断面が長方形状であって４つの側面を有している。
【００３０】
各長手ローラー２３および各仕切ローラー２４は、軸材１４により貫通されている。各軸材１４は、枠体２２の側面に両端が固定されている。各長手ローラー２３は、枠体２２の長手方向に沿って互いに間隔をあけて枠体２２の内側に回転可能に設けられ、枠体２２の細長い側面に沿って配置されている。各仕切ローラー２４は、枠体２２の幅方向に沿ってそれぞれ間隔をあけて枠体２２の内側に回転可能に設けられている。２本の仕切ローラー２４は、枠体２２の両端の側面に沿って配置されている。各長手ローラー２３および各仕切ローラー２４は、互いに段違いに取り付けられてはしご状に配置され、配管配線類１を挿入可能な開口１８を複数包囲して形成している。取付部（図示せず）は枠体２２に設けられ、枠体２２をビスで固定箇所に取付け可能である。
【００３１】
この配管配線類支持用滑車１１は、配管配線類１を端部から引き抜くとき、ローラー１３が配管配線類１を支持しながら回転し、その抜き取りを案内する。これにより、メンテナンス工事が容易になり、工事費の低廉化および工事時間の短縮を図ることができる。配管配線類支持用滑車１１では、複数の開口１８に配管配線類１をジグザグ状に挿入したりさまざまな方向から挿入したりすることができ、配管配線類１の支持や抜取りにさらに適した利用が可能となる。
【００３２】
メンテナンス対応建築物１０では、配管配線類１の修理、交換を容易にするため、施工段階で工夫がなされている。すなわち、図１、図２、図４および図５に示すように、施工段階で、施工されるパイプやダクトなどの配管配線類１の曲げ部分に、配管配線類支持用滑車１１を配置し、固定する事なく配管を行うのである。こうしておくことによって、修理交換を行う際は、古いダクトやパイプに新しいものを連結する事により、引き抜きと同時に再施工が可能となる。
【図面の簡単な説明】
【００３３】
【図１】本発明の実施の形態のメンテナンス対応建築物の配管配線類交換方法を示す説明図である。
【図２】図１に示すメンテナンス対応建築物の配管配線類および配管配線類支持用滑車の配置ならびに電化製品ユニット室を示す説明図である。
【図３】本発明の実施の形態の配管配線類支持用滑車を示す（Ａ）正面図、（Ｂ）背面図、（Ｃ）左側面図、（Ｄ）平面図である。
【図４】図１に示すメンテナンス対応建築物の配管配線類支持用滑車の使用状態を示す説明図である。
【図５】図１に示すメンテナンス対応建築物の配管配線類および他の配管配線類支持用滑車の配置ならびに他の配管配線類支持用滑車を示す説明図である。
【図６】本発明の実施の形態の他の配管配線類支持用滑車を示す（Ａ）正面図、（Ｂ）背面図、（Ｃ）左側面図、（Ｄ）平面図である。
【符号の説明】
【００３４】
１    配管配線類
２    梁
３    電化製品ユニット室
４    ヒートポンプ
１０  メンテナンス対応建築物
１１  配管配線類支持用滑車
１２  枠体
１３  ローラー
１４  軸材
１５  凹部
１６  取付部
１７  スペーサ
１８  開口
【図１】
2005221012.tif 000003
【図２】
2005221012.tif 000004
【図３】
2005221012.tif 000005
【図４】
2005221012.tif 000006
【図５】
2005221012.tif 000007
【図６】
2005221012.tif 000008